(57)【要約】【課題】  基本運転時の火力、てんぷら等の揚げ物調理時の油温、タイマー運転時のタイマー残時間などの表示をより見易くすること。【解決手段】  本体１の上面に配置されるトッププレート２と、前記トッププレート２の下部に配置され、負荷を加熱する複数のインダクションヒータ１７と、表示部１４、１５と、前記表示部１４、１５の下部に配置され、前記インダクションヒータ１７の運転状態あるいは運転するための設定状態を表示する表示構造部１６とを備えた誘導加熱調理器において、前記表示構造部１６は数字、文字、図形の全部または一部を組合せて表示する構造とし、かつ、各インダクションヒータ１７に対応した表示内容を備えるようにした。【選択図】  図２
2004214215.tif 000002
【特許請求の範囲】
【請求項１】
本体（１）の上面に配置されるトッププレート（２）と、前記トッププレート（２）の下部に配置され、負荷を加熱する複数のインダクションヒータ（１７）と、表示部（１４）、（１５）と、前記表示部（１４）、（１５）の下部に配置され、前記インダクションヒータ（１７）の運転状態あるいは運転するための設定状態を表示する表示構造部（１６）とを備えた誘導加熱調理器において、前記表示構造部（１６）は数字、文字、図形の全部または一部を組合せて表示する構造とし、かつ、各インダクションヒータ（１７）に対応した表示内容を備えたことを特徴とする誘導加熱調理器。
【発明の詳細な説明】
【技術分野】
【０００１】
本発明は、誘導加熱調理器の改良に関するものである。
【背景技術】
【０００２】
従来の誘導加熱調理器においては、運転状態を表示する表示部は本体の前面に配置された垂直な操作パネル部の中に設けられるのが主であった。この表示部の表示内容は、基本運転の火力やてんぷら等の揚げ物調理時の油温、タイマー運転時のタイマー残時間等である。
【０００３】
また、火力の表示をトッププレート面に設けた誘導加熱調理器が商品化されている。その構成の例は、複数個のＬＥＤやランプを点灯させて、点灯しているＬＥＤあるいはランプの個数によって火力の大小を表示するものである。また、てんぷら等の揚げ物調理時の油温をほぼ同様に表示している。
【０００４】
このような従来例の一例として、特許文献１（特開平１１−２４１２号公報）などがある。
【０００５】
【特許文献１】特開平１１−２４１２号公報
【発明の開示】
【発明が解決しようとする課題】
【０００６】
前述したように、従来の誘導加熱調理器において、火力の表示方法は、ＬＥＤを１０個連続して並べ、火力がフルパワー（即ち１００％）の時は１０個点灯し、火力が５０％の時は５個点灯、５個消灯するなどである。しかし、ＬＥＤは形状が小さく、連続して並んでいると、５個点灯しているのか、６個点灯しているのか、判別するのに難がある。特に、使用者が高齢者の場合、この問題が顕著となる。
【０００７】
てんぷら等の揚げ物調理時の油温の表示方法も、火力の表示方法と同様の問題がある。
【０００８】
また、タイマー運転時のタイマー残時間を表示する表示部を備えたものがあるが、一つのタイマーを備えているだけである。このため、操作性が悪く、また、複数のインダクションヒータを備えていても、同時に複数のインダクションヒータをタイマー運転することのできないものである。
【０００９】
本発明は、前記不具合を解決するものであり、基本運転時の火力、てんぷら等の揚げ物調理時の油温、タイマー運転時のタイマー残時間などの表示をより見易くすることを目的とするものである。
【課題を解決するための手段】
【００１０】
本発明は上述の課題を解決するためになされたもので、本体の上面に配置されるトッププレートと、前記トッププレートの下部に配置され、負荷を加熱する複数のインダクションヒータと、表示部と、前記表示部の下部に配置され、前記インダクションヒータの運転状態あるいは運転するための設定状態を表示する表示構造部とを備えた誘導加熱調理器において、前記表示構造部は数字、文字、図形の全部または一部を組合せて表示する構造とし、かつ、各インダクションヒータと、ニクロム線加熱式ヒータと、魚焼きグリル部に対応した表示内容を備えたものである。
【発明の効果】
【００１１】
本発明の誘導加熱調理器は、インダクションヒータの運転状態あるいは運転するための設定状態を表示する表示構造部を備え、この表示構造部は数字、文字、図形の全部または一部を組合せて表示する構造としたので、使用者が高齢者の場合でも、基本運転時の火力、てんぷら等の揚げ物調理時の油温、タイマー運転時のタイマー残時間の表示が一目で分かる、より見易いものとなる。
【発明を実施するための最良の形態】
【００１２】
以下、本発明の一実施例を図面に従って説明する。
【００１３】
図１は本発明の一実施例の外観図、図２は本発明の一実施例の表示構造部の表示例を示す図、図３は本発明の一実施例の冷却構造を示す図である。
【００１４】
図１において、１は誘導加熱調理器の本体である。２はトッププレートで、本体１の上面に配置され、耐熱性の高い結晶化ガラスで構成されて、負荷である鉄製の鍋等（図示せず）を載置するものである。
【００１５】
３はトッププレート枠で、トッププレート２との間にシール材（図示せず）が充填されてトッププレート２の周りに固着され、水密構造となっている。また、トッププレート枠３は本体１にも固定されており、誘導加熱調理器をシステムキッチンに取り付ける際は、トッププレート枠３で本体１を吊り下げて設置される。従って、システムキッチンの表面に出るのは、トッププレート２とトッププレート枠３と本体１の前面垂直面部の部分である。
【００１６】
４（円形の破線）は右インダクションヒータ位置で、トッププレート２の下部右方に配置される後記インダクションヒータ１７の位置を示したものである。５（円形の破線）は左インダクションヒータ位置で、同様にトッププレート２の下部左方に配置される後記インダクションヒータ１７の位置を示したものである。
【００１７】
６（円形の破線）はニクロムヒータ線加熱式円形ヒータ位置で、トッププレート２の下部中央後方に配置されるニクロムヒータ線加熱式円形ヒータの位置を示したものである。
【００１８】
７は魚焼きグリル部で、本体１の左側下部に配置され、魚等を焼くものである。８は排気口で、本体１の後方に配置され、魚焼きグリル部７から排出される排気および本体１内部を冷却した廃熱（熱気）を排出する部分である。９は吸気口で、本体１の前面上方に配置され、本体１内に冷却用空気を吸引する部分である。
【００１９】
１０は操作パネル部で、本体１の前面垂直面部に配置され、次の要素で構成される。１１はメインスイッチで、全体の回路の電源を入り切りする。１２は右インダクションヒータ用操作部で、右方の後記インダクションヒータ１７の設定、運転を操作する入切スイッチ２１、タイマースイッチ２２、揚げ物スイッチ２３およびボリュームツマミ２４などから構成される。１３は左インダクションヒータ用操作部で、左方の後記インダクションヒータ１７の設定、運転を操作する入切スイッチ２１、タイマースイッチ２２、揚げ物スイッチ２３およびボリュームツマミ２４などから構成される。これら及びニクロムヒータ線加熱式円形ヒータ、魚焼きグリル部７の操作用スイッチ等で操作パネル部１０が構成される。
【００２０】
１４、１５は表示部で、トッププレート２の前面略中央部に設けられ、透明として、この表示部１４、１５の下部に配置された後記表示構造部１６の表示内容を確認できるようにしたものである。尚、この表示部１４、１５は、おのおの右方および左方の後記インダクションヒータ１７に対応するものである。また、表示部１４、１５は半透明や色付きであってもよい。要は、この下部に配置された後記表示構造部１６の表示内容を確認できるものであればよい。
【００２１】
次に、図２を用いて本発明の表示例を説明する。
【００２２】
図２ａは表示部１４、１５に表示される火力表示の例を示すもので、基本運転の旨を文字「火力」で、火力を数値「８」で、さらに火力を図形「棒グラフ」の点灯数（８本）で表示している。火力の増減に応じて数字および棒グラフの点灯数を増減して示すものである。棒グラフは、図に示す例のように、左から右になるに従いその高さを高いものとすることによって、より分かり易いものとなる。以後、同様である。
【００２３】
図２ｂは揚げ物表示の例を示すもので、揚げ物調理の旨を文字「揚げ物」で、設定温度を数字「１８０」で、油温がどこまで上昇しているかを図形「棒グラフ」の点灯数で表示している。尚、右端の破線で表わした棒グラフは設定温度に対応した部分を示している。設定温度の増減により数字を増減するとともに破線の棒グラフの位置を変化し、油温の上下により棒グラフの点灯数を増減して示すものである。
【００２４】
図２ｃは残時間表示の例で、タイマー運転を行っている旨を文字「残り」で、タイマーの設定時間あるいは残時間を数字「６０」で、その時の火力を図形「棒グラフ」の点灯数で表示している。タイマーの設定時間あるいは残時間の増減により数字を増減し、火力の増減に応じて棒グラフの点灯数を増減して示すものである。
【００２５】
尚、前記の例では、基本運転の旨を文字「火力」で示したが、「出力」、その他の適当な文字を用いてもよい。同様に、「揚げ物」を「てんぷら」、「天ぷら」など、「残り」を「残時間」、「タイマー」など、他の適当な文字を用いてもよい。図形「棒グラフ」についても、円グラフ、その他適当な図形を用いてもよい。
【００２６】
図２の例では火力、揚げ物調理時の油温、タイマーの設定状態、タイマーの残時間など、運転状態あるいは運転するための設定状態を数字、文字、図形の全部を用いた表示例を示したが、周囲の条件や製品の仕様等に合わせて、これらの一部を組合せて表示する場合も考えられる。
【００２７】
以上の表示を行なうことにより、使用者が高齢者の場合でも、一目で分かる、より見易いものとなる。
【００２８】
次に、図３を用いて本発明の冷却構造を説明する。図は本体１内部を側面から見た図で、矢印は空気の流れを示している。
【００２９】
前述した如く、排気口８は本体１の後方に配置され、吸気口９は本体１の前方上方に配置され、表示部１４、１５はトッププレート２面に設けられている。
【００３０】
１６は表示構造部で、トッププレート２面に設けられた透明な表示部１４、１５の下部に配置され、火力、揚げ物調理時の油温、タイマーの設定状態、タイマーの残時間など、運転状態あるいは運転するための設定状態を数字、文字、図形の全部または一部を組合せて表示部１４、１５に表示する。
【００３１】
さらに、表示構造部１６は各後記インダクションヒータ１７に対応した表示内容を備えたものとする。つまり、使用者はトッププレート２面に設けられた透明な表示部１４を通して右方の後記インダクションヒータ１７に対応した表示内容を確認し、表示部１５を通して左方の後記インダクションヒータ１７に対応した表示内容を確認する。これにより、同時に複数のタイマー残時間を表示することができるため、同時に複数の後記インダクションヒータ１７のタイマー運転が可能となる。
【００３２】
１７はインダクションヒータで、コイルで構成され、トッププレート２の下部に配置されて、この上方に載置される後記鍋２０等の負荷を加熱するものである。１８は温度センサで、インダクションヒータ１７即ちコイルの中央部に配置され、後記鍋２０の温度を検出する。
【００３３】
１９は送風ファンで、吸気口９とインダクションヒータ１７との間に配置され、本体１外部の冷気を吸気口９から吸引し、インダクションヒータ１７等を冷却した後、排気口８から排出して、インダクションヒータ１７等を適正温度に保つものである。
【００３４】
更に、表示構造部１６は吸気口９の近傍に配置され、送風ファン１９によって強制冷却される構造とした。これにより、表示構造部１６は適正温度に保たれ、信頼性が向上する。
【００３５】
２０は鍋で、トッププレート２上の右インダクションヒータ位置４または左インダクションヒータ位置５に載置され、それぞれの下部に配置されたインダクションヒータ１７で加熱される。
【００３６】
以上の構成において、図１、図２、図３を用いて全体の動作を説明する。
【００３７】
前提として、二つの鍋２０を右方および左方のインダクションヒータ１７で加熱するものとして説明する。
【００３８】
二つの鍋２０をトッププレート２上の右インダクションヒータ位置４および左インダクションヒータ位置５に載置し、操作パネル部１０内のメインスイッチ１１をＯＮにする。
【００３９】
第一の操作例として、基本運転と揚げ物調理を同時に行なう場合を説明する。
【００４０】
右インダクションヒータ用操作部１２内の入切スイッチ２１を操作する。
【００４１】
すると、右方のインダクションヒータ１７が通電されて加熱を開始し、これに対応した右方の表示部１４に、図２ａ（火力表示）に示す表示例と同様の火力表示が確認できる。この時、火力の設定を変えるため表示部１４を見ながら右インダクションヒータ用操作部１２内のボリュームツマミ２４を操作すると、操作に応じて火力を示す数字および棒グラフが変化し、希望の火力表示となった時点で設定操作を終了させる。以後、この設定火力で加熱が進行する。
【００４２】
一方、左インダクションヒータ用操作部１３内の揚げ物スイッチ２３を操作する。
【００４３】
すると、左方のインダクションヒータ１７に対応した左方の表示部１５には、図２ｂ（揚げ物表示）に示す表示例と同様の揚げ物表示が確認できる。この時、設定温度を変えるため表示部１５を見ながら左インダクションヒータ用操作部１３内のボリュームツマミ２４を操作すると、操作に応じて設定温度を示す数字および設定温度を示す破線の棒グラフ位置が変化し、希望の温度表示となった時点で設定操作を終了させる。その後、温度センサ１８で検出される油温が上昇するとともに、油温を示す棒グラフ（図２ｂの塗りつぶされた棒グラフ）の点灯数が変化する。
【００４４】
次に、第二の操作例として、二つのタイマー運転を同時に行なう場合を説明する。
【００４５】
右インダクションヒータ用操作部１２および左インダクションヒータ用操作部１３内のタイマースイッチ２２を操作する。
【００４６】
すると、右方のインダクションヒータ１７の表示部１４には、図２ｃ（残時間表示）に示す表示例と同様のタイマーの設定時間すなわち残時間表示が確認できる。この時、タイマーの設定時間を変えるため表示部１４を見ながら右インダクションヒータ用操作部１２内のボリュームツマミ２４を操作すると、操作に応じてタイマーの設定時間を示す数字が変化し、希望のタイマー時間となった時点で操作を停止する。
【００４７】
さらに、火力を変えたい場合は、右インダクションヒータ用操作部１２内の入切スイッチ２１を操作後、右インダクションヒータ用操作部１２内のボリュームツマミ２４を操作すると、火力を示す棒グラフの点灯数が変化し、希望の火力となった時点で設定操作を終了させる。その後、設定した火力で加熱が進行し、残時間は表示部１４に数字によって時間の経過とともに減算表示される。
【００４８】
左方のインダクションヒータ１７のタイマー運転の設定操作の場合も、右方のインダクションヒータ１７のタイマー運転の場合と同様なので説明を省略する。
【００４９】
以上述べた二つの操作例以外、基本運転、揚げ物調理、タイマー運転による加熱の３種類の加熱方法を、右方および左方二つのインダクションヒータ１７に対して夫々単独、あるいは組み合わせて加熱することが可能であるが、これらの操作例については、上述と同様なので説明を省略する。
【００５０】
上述の例では、火力を単なる数字で表示する例を示したが、数字の近傍に文字「Ｗ」または「ｋＷ」を加え、より分かり易くする方法も考えられる。
【００５１】
また、揚げ物表示の例のような温度を表示する場合は、温度の数字の近傍に「℃」、「度」を加えて表示する方法も考えられる。
【図面の簡単な説明】
【００５２】
【図１】本発明の一実施例の外観図である。
【図２】本発明の一実施例の表示構造部の表示例を示す図である。
【図３】本発明の一実施例の冷却構造を示す図である。
【符号の説明】
【００５３】
１  本体
２  トッププレート
３  トッププレート枠
４  右インダクションヒータ位置
５  左インダクションヒータ位置
６  ニクロムヒータ線加熱式円形ヒータ位置
７  魚焼きグリル部
８  排気口
９  吸気口
１０  操作パネル部
１１  メインスイッチ
１２  右インダクションヒータ用操作部
１３  左インダクションヒータ用操作部
１４  表示部
１５  表示部
１６  表示構造部
１７  インダクションヒータ
１８  温度センサ
１９  送風ファン
２０  鍋
【図１】
2004214215.tif 000003
【図２】
2004214215.tif 000004
【図３】
2004214215.tif 000005
【手続補正書】
【提出日】平成16年3月2日(2004.3.2)
【手続補正１】
【補正対象書類名】特許請求の範囲
【補正対象項目名】請求項１
【補正方法】変更
【補正の内容】
【請求項１】
本体の上面に配置されるトッププレートと、前記トッププレートの下部に配置され、負荷を加熱する複数のインダクションヒータと、表示部と、前記表示部の下部に配置され、前記インダクションヒータの運転状態あるいは運転するための設定状態を表示する表示構造部とを備えた誘導加熱調理器において、前記表示構造部は数字、文字、図形の全部または一部を組合せて表示する構造とし、かつ、各インダクションヒータに対応した表示内容を備えたことを特徴とする誘導加熱調理器。